(57)【要約】【課題】天面部に注出用口栓を有するパウチであるにも拘わらず、注出用口栓がパウチ外側に突出することがなく、製袋時や梱包時等の作業性に優れたパウチを提供すること。【解決手段】前記注出用口栓２を天面部に対して進退自在に取り付ける。口栓をパウチ内部に後退させた状態で製袋し、あるいは梱包等の作業を行うことができる。このとき、口栓はパウチの外側に突出していないので、この口栓がそれぞれの機械に引っ掛かることがなく、このため、それぞれの作業性を改善することができる。なお、注出するときには、口栓をパウチ外側に進出させてパウチ外側に突出させた状態で注出することができる。【選択図】図１
2018052551.tif 000002
【特許請求の範囲】
【請求項１】
表側フィルムと裏側フィルムとで構成される胴部の上端にガゼット部を有し、このガゼット部を構成する天面部に注出用口栓が取り付けられているパウチであって、前記裏側フィルムと天面部との境界に内容物充填用開口を有する口栓付きパウチにおいて、
前記口栓が天面部に対して進退自在であることを特徴とする口栓付きパウチ。
【請求項２】
請求項１に記載の口栓付きパウチにおいて、
前記表側フィルムの上方に、谷折線を介してパウチ外側に折り返された折り返し片が連接され、かつ、この折り返し片と前記天面部とが山折線を介して連接されており、
これら折り返し片と前記天面部とは、天面部の両側縁から前記山折線に至る両斜めシール線（天面部斜めシール線）でシールされており、
一方、前記裏側フィルムの上方には、折り曲げ予定線を介してパウチ外側に折り返す折り返し予定片が連接され、かつ、この折り返し予定片と前記天面部との間には内容物を充填する開口部が設けられていると共に、
胴部下端部において、前記表側フィルムと裏側フィルムとが底部用フィルムを介して重ねられており、かつ、この底部用フィルムが二つ折りされてその折目線が上部側に配置されていると共に、
前記表側フィルムと底部用フィルム、及び前記裏側フィルムと底部用フィルムとは、それぞれ、パウチの両側縁から底辺に至る両斜めシール線（底部斜めシール線）と、これら両底部斜めシール線を繋ぎ、パウチの底辺に沿って配置された水平シール線とでシールされている、
ことを特徴とする口栓付きパウチ。
【請求項３】
請求項２に記載の口栓付きパウチにおいて、
パウチの両側縁を結ぶ直線の方向を水平方向とし、この水平方向に直交して、前記天面部の面内に含まれる直線の方向を垂直方向として、前記天面部の垂直方向の幅をＢ、前記底部用フィルムを開いたときの幅をＧとしたとき、ＢがＧより小さいことを特徴とする口栓付きパウチ。
【請求項４】
請求項２又は３に記載の口栓付きパウチにおいて、
前記両天面部斜めシール線の間の距離をＣ、前記水平シール線の長さをＤとしたとき、ＣがＤより小さい、ことを特徴とする口栓付きパウチ。
【請求項５】
請求項２〜４のいずれかに記載の口栓付きパウチにおいて、
パウチの両側縁を結ぶ直線の方向を水平方向とし、この水平方向に直交して、前記天面部の面内に含まれる直線の方向を垂直方向として、前記天面部の垂直方向の幅をＢ、パウチの両側縁を結ぶ直線の長さをＥとしたとき、ＢがＥの１／３〜１／２であることを特徴とする口栓付きパウチ。
【請求項６】
請求項２〜５のいずれかに記載の口栓付きパウチにおいて、
パウチの両側縁を結ぶ直線の方向を水平方向とし、この水平方向に直交して、前記天面部の面内に含まれる直線の方向を垂直方向として、前記両天面部斜めシール線の間の距離をＣ、パウチの両側縁を結ぶ直線の長さをＥとしたとき、ＣがＥの１／３〜１／２である、ことを特徴とする口栓付きパウチ。
【発明の詳細な説明】
【技術分野】
【０００１】
本発明は、液体洗剤、柔軟剤などのトイレタリー用品や、食用油、ソース、インスタントコーヒーなどの食品を収納する口栓付きパウチに関するものであり、特に製袋時や梱包時の作業性が良い口栓付きパウチに関する。
【背景技術】
【０００２】
大きな内容積を確保するため、胴部の下端及び上端の双方にガゼット部を有するパウチは公知である（特許文献１）。このパウチ１００’は図７（ａ）の正面説明図及び（ｂ）の断面説明図に示すような外見を有するもので、表側フィルム１１’と裏側フィルム１２‘とで胴部が構成され、その下端には、二つ折りされた底部用フィルムが表側フィルム１１’と裏側フィルム１２’の間に挟み込まれて、その周縁でシールされており、この底部用フィルム及び表側フィルム１１’と裏側フィルム１２’の三者で下端側ガゼット部を構成している。
【０００３】
一方、パウチ１００’の上端には天面部１３’が配置されている。すなわち、表側フィルム１１’の上方に、谷折線を介してパウチ外側に折り返された折り返し片が連接され、かつ、この折り返し片と前記天面部１３’とがその周縁のシール線１ｇ’でシールされている。また、裏側フィルム１２’の上方には、パウチ外側に折り返された折り返し片が連接され、この折り返し片と天面部１３’との間はシールされておらず、内容物を充填する充填用開口部１ｈ’を構成している。
【０００４】
また、天面部１３’中央には、内容物をパウチ１００’から注出する注出用口栓２’が装着されている。
【０００５】
このパウチ１００’は、充填ノズルを前記充填用開口部１ｈ’に差し込んで内容物を充填する。そして、この開口部１ｈ’をシールにて密封することができる。
【０００６】
しかしながら、このパウチ１００’は天面部１３’に注出用口栓２’が装着されており、この注出用口栓２’がパウチ１００’外側に突出しているため、製袋時や梱包時等に注出用口栓２’が所定の機械に引っ掛かり、ラインが止まる等の問題があった。
【先行技術文献】
【特許文献】
【０００７】
【特許文献１】特許第５１７９３８６号公報
【発明の概要】
【発明が解決しようとする課題】
【０００８】
そこで、本発明は、このように天面部に注出用口栓を有するパウチであるにも拘わらず、注出用口栓がパウチ外側に突出することがなく、製袋時や梱包時等の作業性に優れたパウチを提供することを目的とする。
【課題を解決するための手段】
【０００９】
すなわち、請求項１に記載の発明は、表側フィルムと裏側フィルムとで構成される胴部の上端にガゼット部を有し、このガゼット部を構成する天面部に注出用口栓が取り付けられているパウチであって、前記裏側フィルムと天面部との境界に内容物充填用開口を有する口栓付きパウチにおいて、
前記口栓が天面部に対して進退自在であることを特徴とする口栓付きパウチである。
【００１０】
次に、請求項２に記載の発明は、請求項１に記載の口栓付きパウチにおいて、
前記表側フィルムの上方に、谷折線を介してパウチ外側に折り返された折り返し片が連接され、かつ、この折り返し片と前記天面部とが山折線を介して連接されており、
これら折り返し片と前記天面部とは、天面部の両側縁から前記山折線に至る両斜めシール線（天面部斜めシール線）でシールされており、
一方、前記裏側フィルムの上方には、折り曲げ予定線を介してパウチ外側に折り返す折り返し予定片が連接され、かつ、この折り返し予定片と前記天面部との間には内容物を充填する開口部が設けられていると共に、
胴部下端部において、前記表側フィルムと裏側フィルムとが底部用フィルムを介して重ねられており、かつ、この底部用フィルムが二つ折りされてその折目線が上部側に配置されていると共に、
前記表側フィルムと底部用フィルム、及び前記裏側フィルムと底部用フィルムとは、それぞれ、パウチの両側縁から底辺に至る両斜めシール線（底部斜めシール線）と、これら両底部斜めシール線を繋ぎ、パウチの底辺に沿って配置された水平シール線とでシールされている、
ことを特徴とする口栓付きパウチである。
【００１１】
また、請求項３に記載の発明は、請求項２に記載の口栓付きパウチにおいて、
パウチの両側縁を結ぶ直線の方向を水平方向とし、この水平方向に直交して、前記天面部の面内に含まれる直線の方向を垂直方向として、前記天面部の垂直方向の幅をＢ、前記底部用フィルムを開いたときの幅をＧとしたとき、ＢがＧより小さいことを特徴とする口栓付きパウチである。
【００１２】
また、請求項４に記載の発明は、請求項２又は３に記載の口栓付きパウチにおいて、
前記両天面部斜めシール線の間の距離をＣ、前記水平シール線の長さをＤとしたとき、ＣがＤより小さい、ことを特徴とする口栓付きパウチである。
【００１３】
また、請求項５に記載の発明は、請求項２〜４のいずれかに記載の口栓付きパウチにおいて、
パウチの両側縁を結ぶ直線の方向を水平方向とし、この水平方向に直交して、前記天面部の面内に含まれる直線の方向を垂直方向として、前記天面部の垂直方向の幅をＢ、パウチの両側縁を結ぶ直線の長さをＥとしたとき、ＢがＥの１／３〜１／２であることを特徴とする口栓付きパウチである。
【００１４】
また、請求項６に記載の発明は、請求項２〜５のいずれかに記載の口栓付きパウチにおいて、
パウチの両側縁を結ぶ直線の方向を水平方向とし、この水平方向に直交して、前記天面部の面内に含まれる直線の方向を垂直方向として、前記両天面部斜めシール線の間の距離をＣ、パウチの両側縁を結ぶ直線の長さをＥとしたとき、ＣがＥの１／３〜１／２である、ことを特徴とする口栓付きパウチである。
【発明の効果】
【００１５】
本発明のパウチにおいては、口栓が天面部に対して進退自在に取り付けられている。
【００１６】
このため、この口栓をパウチ内部に後退させた状態で製袋し、あるいは梱包等の作業を行うことができる。このとき、口栓はパウチの外側に突出していないので、この口栓がそれぞれの機械に引っ掛かることがなく、このため、それぞれの作業性を改善することができる。
【００１７】
なお、充填した内容物を注出するときには、口栓をパウチ外側に進出させ、すなわち、
口栓を引き出してパウチ外側に突出させた状態で注出することができる。
【図面の簡単な説明】
【００１８】
【図１】図１は本発明のパウチの具体例に係り、図１（ａ）はパウチ１００の正面説明図、図１（ｂ）は図１（ａ）のＡ−Ａ線における断面説明図である。
【図２】図２は本発明のパウチの具体例に係り、下端及び上端のガゼット部を開いた状態のパウチの断面説明図である。
【図３】図３は本発明のパウチの具体例に係り、その各部の寸法を説明するため、天面部と表側フィルムとに分離して図示した平面図である。
【図４】図４は本発明のパウチの天面部の様々な形状の例を示すである。
【図５】図５は進出させた状態の注出用口栓に係り、図５（ａ）はその斜視説明図、図５（ｂ）は断面説明図である。
【図６】図６は後退させた状態の注出用口栓に係り、図５（ａ）はその斜視説明図、図５（ｂ）は断面説明図である。
【図７】図７は従来のパウチに係り、図７（ａ）の正面説明図及び（ｂ）の断面説明図である。
【発明を実施するための形態】
【００１９】
以下、図面を参照して本発明の具体例を説明する。図面の図１は本発明のパウチの具体例に係り、図１（ａ）はパウチ１００の正面説明図、図１（ｂ）は図１（ａ）のＡ−Ａ線における断面説明図である。
【００２０】
このパウチ１００は、表側フィルム１１と裏側フィルム１２とで構成される胴部の下端及び上端にガゼット部を有するものである。なお、この胴部は、左右の両側縁にシール線１ａ，１ｂを設けて、このシール線１ａ，１ｂで表側フィルム１１と裏側フィルム１２とをヒートシールすることによって構成されている。
【００２１】
そして、図１（ｂ）から分かるように、胴部下端部においては、表側フィルム１１と裏側フィルム１２とが底部用フィルム１４を介して重ねられており、かつ、この底部用フィルム１４が二つ折りされてその折目線が上部側に配置されている。そして、表側フィルム１１と底部用フィルム１４とは、パウチの両側縁から底辺に至る両斜めシール線（底部斜めシール線）１ｄ，１ｄと、これら両底部斜めシール線１ｄ，１ｄを繋ぎ、パウチの底辺に沿って配置された水平シール線１ｃとで、互いにシールされている。また、同様に、裏側フィルム１２と底部用フィルム１４も、パウチの両側縁から底辺に至る両底部斜めシール線１ｄ，１ｄと、これら両底部斜めシール線１ｄ，１ｄを繋ぎ、パウチの底辺に沿って配置された水平シール線１ｃとで、互いにシールされている。
【００２２】
次に、パウチ１００上方においては、図１（ｂ）から分かるように、表側フィルム１１の上方に、谷折線１ｅを介してパウチ１００外側に折り返された折り返し片１５が連接され、かつ、この折り返し片１５と天面部１３とが山折線１ｇを介して連接されている。そして、これら折り返し片１５と天面部１３とは、天面部１３の両側縁から前記山折線１ｇに至る両斜めシール線（天面部斜めシール線）１ｉ，１ｉでシールされている。
【００２３】
また、裏側フィルム１２の上方には、折り曲げ予定線１ｆを介してパウチ外側に折り返す折り返し予定片１６が連接されている。そして、これら折り返し予定片１６と天面部１３とは、天面部１３の両側縁を始点とする両斜めシール線（天面部斜めシール線）１ｊ，１ｊでシールされており、これら両天面部斜めシール線１ｊ，１ｊで挟まれた部位は未シール状態で、内容物を充填する開口部１ｈとされている。
【００２４】
なお、天面部１３の略中央には口栓２が装着されているが、この口栓２については後述
する。
【００２５】
このように、このパウチ１００は下端及び上端にガゼット部を有するため、これら両ガゼット部を開いて内容積を大きくすることができる。下端及び上端のガゼット部を開いた状態の断面説明図を図２に示す。すなわち、まず、パウチ１００下端では、底部用フィルム１４の折目線を開くことにより、ガゼット部を開くことができる。また、パウチ１００上端では、折り曲げ予定線１ｆで折り曲げて折り返し予定片１６をパウチ１００外側に折り曲げると共に、谷折線１ｅを開いて、天面部１３を略水平方向に向かせることにより、ガゼット部を開くことができる。
【００２６】
次に、このパウチ１００の各部の寸法について説明する。図３は各部の寸法を説明するため、天面部１３と表側フィルム１１とに分離して図示した平面図である。
【００２７】
そして、説明の便宜のため、各部の寸法をＢ〜Ｇで説明する。これらＢ〜Ｇが示す寸法は次のとおりである。
Ｂ：パウチ１００の両側縁を結ぶ直線の方向を水平方向とし、この水平方向に直交して、前記天面部１３の面内に含まれる直線の方向を垂直方向として、天面部１３の垂直方向の幅（図２，図３（ａ）参照）
Ｃ：両天面部斜めシール線１ｉ，１ｉの間の距離（図３（ａ）参照）
Ｄ：下端の水平シール線１ｃの長さ（図３（ｂ）参照）
Ｅ：パウチ１００の両側縁を結ぶ直線の長さ（図３（ｂ）参照）
Ｇ：底部用フィルム１４を開いたときの幅（図２参照）
このパウチ１００においては、まず、ＢはＧより小さい。図２に示すように、パウチ１００に内容物を充填して上下のガゼット部を開いたとき、パウチ１００がこれを支える載置面に接する部位の横方向の幅はＧである。一方、このように上下のガゼット部を開いた場合、パウチ１００の上部では、天面部斜めシール線１ｉ，１ｉ，１ｊ，１ｊが斜めに下がった斜面状となるから、パウチ１００の上端で水平面を構成するのは、山折線１ｇと開口部１ｈとを２辺とする長方形状の面である。そして、この水平面の横方向の幅はＢである。このパウチ１００では、ＢがＧより小さいため、パウチ１００は横方向に安定して自立することができる。
【００２８】
次に、このパウチ１００では、ＣがＤより小さい。前述のように、パウチ１００に内容物を充填して上下のガゼット部を開いた場合、パウチ１００がこれを支える載置面に接する部位の縦方向の幅はＤである。また、このように上下のガゼット部を開いた場合、パウチ１００の上部の前記水平面の縦方向の幅はＣである。このパウチ１００では、ＢがＧより小さいため、パウチ１００は縦方向に安定して自立することができる。
【００２９】
また、このパウチ１００では、ＢとＣとは、いずれも、Ｅの１／３〜１／２である。Ｂ又はＣがＥの１／３より短いとパウチの内容積が十分得られず、１／２より長いと天面部１３が大きすぎて自立時に不安定となってしまい、充填工程において充填装置内で倒れる、引っかかるなどして詰まりを起こしやすく、詰替え作業時においては倒れて内容物をこぼしやすい。
【００３０】
次に、この例では、天面部１３は六角形状で、その４辺に沿って天面部斜めシール線１ｉ，１ｉ，１ｊ，１ｊを設けているが、これに限られず、様々な形状の天面部１３を使用することができる。また、その斜めシール線１ｉ，１ｉ，１ｊ，１ｊも様々なものであってよい。図４はこのような天面部１３の例を示すもので、図４（ａ）は、天面部１３を六角形状とし、斜めシール線１ｉ，１ｉ，１ｊ，１ｊの内縁を円弧状として、その内側をヒートシールしていない未シール領域としたものである。
【００３１】
また、図４（ｂ）は、天面部１３を八角形状とし、八辺のうち連続する三辺に天面部斜めシール線１ｉ，１ｊを設けると共に、これに対向する三辺にも天面部斜めシール線１ｉ，１ｊを設けて、その内側をヒートシールしていない未シール領域としたものである。なお、これら斜めシール線１ｉ，１ｉ，１ｊ，１ｊの内縁は、いずれも、直線状である。
【００３２】
次に、図４（ｃ）は、天面部１３を長円状とすると共に、天面部斜めシール線１ｉ，１ｉ，１ｊ，１ｊの内縁も円弧状として、その内側をヒートシールしていない未シール領域としたものである。
【００３３】
また、図４（ｄ）は、天面部１３を長円状とすると共に、天面部斜めシール線１ｉ，１ｉ，１ｊ，１ｊの内縁を三本の直線を繋いだ折れ線状に構成し、これら天面部斜めシール線１ｉ，１ｉ，１ｊ，１ｊの内縁で囲まれる未シール領域を八角形状としたものである。
【００３４】
次に、注出用口栓２について説明する。前述のように、注出用口栓２は、天面部１３に、これから進退自在に取り付けられたものである。このような注出用口栓２としては、図５及び図６に示すものを使用することができる。なお、図５は進出させた状態の注出用口栓２に係り、図５（ａ）はその斜視説明図、図５（ｂ）は断面説明図である。また、図６は後退させた状態の注出用口栓２に係り、図６（ａ）はその斜視説明図、図６（ｂ）は断面説明図である。
【００３５】
この注出用口栓２は、フランジ部２１、屈曲自在な可撓性筒状部２２、ノズル部２３を主要な構成として備えており、この他、プルトップ部２４を備えている。
【００３６】
フランジ部２１は、天面部１３に設けられた貫通孔の周囲にヒートシールして注出用口栓２を固定する部位である。パウチ１００の内側から固定することが望ましい。なお、この不フランジ部２１にも、内容物を透過させる孔が設けられている。
【００３７】
可撓性筒状部２２は屈曲可能で、ノズル部２３を進退させる部位である。この可撓性筒状部２２を伸ばしたときには、図５（ａ）及び（ｂ）に示すように、ノズル部２３が進出して、天面部１３から外側に突出する。一方、可撓性筒状部２２を屈曲したときには、図６（ａ）及び（ｂ）に示すように、ノズル部２３が後退して、ノズル部２３が天面部１３の内側、すなわち、パウチ１００の内部に収容され、パウチ１００から外側に突出することがない。なお、言うまでもなく、この可撓性筒状部２２の内部にも、内容物が流れる流路が設けられている。
【００３８】
ノズル部２３は内容物を注出するものである。例えば、このパウチ１００から別途準備された容器に内容物を移し替えるときには、このノズル部２３を容器口部の中に差込み、このノズル部２３内部の流路を通して容器内部に注出させることができる。
【００３９】
次に、プルトップ部２４は、内容物の洩れを防止し、必要なときに注出を可能とするもので、このようなプルトップ部の構造は周知である。このプルトップ部２４は、ノズル部２３内部の流路を閉塞する閉塞板と、この閉塞板に設けられた閉曲線状の脆弱線と、閉塞板に立設された柱とで構成されている。閉塞板によって、内容物がノズル部２３が流出することを防止しているが、柱を引っ張ることにより脆弱線で閉塞板が切断されて流路が開き、注出を可能とする。
【００４０】
次に、表側フィルム１１及び折り返し片１５を構成するフィルムとしては、その基材フィルムにシーラント層を積層した多層構造のフィルムを使用することができる。裏側フィルム１２及び折り返し予定片１６を構成するフィルムも同様である。
【００４１】
基材フィルムとしては、機械的強度や寸法安定性を有するフィルムを好ましく使用できる。例えば、各種二軸延伸フィルムである。その材質としては、ポリエステル、ポリプロピレン、ポリスチレン、ナイロン、ポリカーボネート、ポリアクリルニトリル、ポリイミド等が例示できる。また、これら各種材質のフィルムを積層し、その他のフィルムを積層した多層構造のフィルムであってもよく、更に、蒸着層や印刷層を設けたフィルムを基材フィルムとしてもよい。
【００４２】
その他のフィルムとしては、例えば、アルミニウム箔等の金属箔を例示できる。その層構成中に金属箔を含む基材フィルムは、水蒸気や酸素ガス等のバリア性に優れている。
【００４３】
次に、蒸着層としては、アルミニウム等の金属を蒸着して形成した金属蒸着層の他に、無機物を材質とする無機蒸着層を利用することができる。無機物としては、酸化珪素、酸化アルミニウム、酸化マグネシウム、酸化カルシウム、酸化カリウム、酸化錫、酸化ナトリウム、酸化ホウ素、酸化チタン、酸化鉛、酸化ジルコニウム、酸化イットリウムなどの金属の酸化物が使用できる。中でも生産性、価格面から酸化珪素、酸化アルミニウム、酸化マグネシウムなどが好ましい。これら金属蒸着層又は無機蒸着層をその層構成中に含む基材フィルムも、水蒸気や酸素ガス等のバリア性に優れている。
【００４４】
印刷層は、ウレタン系、アクリル系、ニトロセルロース系、ゴム系などのバインダー樹脂に各種顔料、体質顔料および可塑剤、乾燥剤、安定剤などを添加されてなるインキにより印刷された層である。印刷方法としては、例えば、オフセット印刷、グラビア印刷、フレキソ印刷、シルクスクリーン印刷、インクジェット印刷などの公知の印刷方法を用いることができる。また基材フィルムの表面を、前処理として予めコロナ処理またはオゾン処理を施すことにより、印刷層の密着性を向上させることができる。
【００４５】
シーラント層としては、ポリオレフィン系樹脂が使用できる。例えば、低密度ポリエチレン、直鎖状低密度ポリエチレン、中密度ポリエチレン、高密度ポリエチレン、エチレン−酢酸ビニル共重合体（ＥＶＡ）、エチレン−メタクリル酸共重合体（ＥＭＡＡ）、エチレン−アクリル酸エチル共重合体（ＥＡＡ）、アイオノマー、ポリプロピレンなどのポリオレフィン系樹脂である。これらの樹脂を押出し機により製膜してフィルム状として使用すればよい。シーラント層の厚みとしては、５０〜２００μｍの範囲であることが好ましい。
【００４６】
基材フィルムとシーラント層とは、接着剤を使用して積層することができる。接着剤としてはドライラミネート用接着剤が使用できる。例えば、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤等である。積層方法としてはドライラミネート法にて可能である。このほか、接着性樹脂を溶融押出し製膜して、その接着力を失わない間に基材フィルムとシーラント層とを圧着して積層することも可能である。
【符号の説明】
【００４７】
１００：パウチ
１１：表側フィルム    １２：裏側フィルム    １３：天面部    １４：底部用フィルム    １５：折り返し片    １６：折り返し予定片
１ａ：側縁シール線    １ｂ：側縁シール線    １ｃ：水平シール線    １ｄ：底部斜めシール線    １ｅ：谷折線    １ｆ：折り曲げ予定線    １ｇ：山折線    １ｈ：開口部    １ｉ：天面部斜めシール線    １ｊ：天面部斜めシール線
Ｂ：パウチの両側縁を結ぶ直線の方向を水平方向とし、この水平方向に直交して、前記天面部の面内に含まれる直線の方向を垂直方向として、天面部の垂直方向の幅
Ｃ：両天面部斜めシール線の間の距離
Ｄ：下端の水平シール線の長さ
Ｅ：パウチの両側縁を結ぶ直線の長さ
Ｇ：底部用フィルムを開いたときの幅
【図１】
2018052551.tif 000003
【図２】
2018052551.tif 000004
【図３】
2018052551.tif 000005
【図４】
2018052551.tif 000006
【図５】
2018052551.tif 000007
【図６】
2018052551.tif 000008
【図７】
2018052551.tif 000009